(57)【要約】【課題】光分岐挿入装置間で適切に波長クロスコネクト機能を実現する光分岐挿入装置、光クロスコネクト装置、光クロスコネクトシステム並びに光クロスコネクト装置の制御方法を提供する。【解決手段】一対の方路において任意の波長成分の光信号を分岐挿入するＲＯＡＤＭ端局装置Ｂ１は、他のＲＯＡＤＭ端局装置との間で、光信号の任意の波長成分を授受するための光スイッチング部１ｂ１と、光信号を分岐挿入するためのＯＳＣ制御情報を生成するＯＳＣ制御情報生成部２ｂ１と、ＯＳＣ制御情報を他のＲＯＡＤＭ端局装置と授受するためのＯＳＣ制御情報入出力Ｉ／Ｆ３ｂ１とを有する。【選択図】図１
2009206707.tif 000002
【特許請求の範囲】
【請求項１】
一対の方路において任意の波長成分の光信号を分岐挿入する光分岐挿入装置であって、
他の光分岐挿入装置との間で、光信号の任意の波長成分を相互に授受するための光スイッチング手段と、
光信号を分岐挿入するためのＯＳＣ制御情報を生成するＯＳＣ情報生成手段と、
前記ＯＳＣ制御情報を他の光分岐挿入装置と相互に授受するための入出力インタフェースと、
を有することを特徴とする光分岐挿入装置。
【請求項２】
前記他の光分岐挿入装置から入力されたＯＳＣ制御情報と、自装置において生成したＯＳＣ制御情報とに基づいて生成した情報を、前記一対の方路のそれぞれに接続された二つの他局の少なくともいずれかに通知することを特徴とする請求項１記載の光分岐挿入装置。
【請求項３】
前記光スイッチング手段は、
前記一対の方路それぞれに接続された二つの他局のいずれかから受信された前記入力光信号に含まれるＤｒｏｐ信号のうち、他の光分岐挿入装置においてＡｄｄ信号とする成分を分離する分波手段と、
前記分波手段が分離した波長成分のうちのいずれの波長成分を前記他の光分岐挿入装置のいずれに出力するかを切り替える第１の波長選択手段と、
前記他の光分岐挿入装置のいずれからいずれの波長成分を自装置においてＡｄｄ信号となる波長成分として受信するかを切り替える第２の波長選択手段と、
前記他の光分岐挿入装置から受信した波長成分を、自装置におけるＡｄｄ信号とともにＴｈｒｏｕｇｈ信号に合成して前記出力光信号を生成する合波手段とを有することを特徴とする請求項１又は２記載の光分岐挿入装置。
【請求項４】
前記入出力インタフェースを介して前記他の光分岐挿入装置から入力されたＯＳＣ制御情報と、自装置において生成したＯＳＣ制御情報とに基づいて、前記第１及び第２の波長選択手段を制御する装置制御・管理手段を有することを特徴とする請求項３記載の光分岐挿入装置。
【請求項５】
前記装置制御・管理手段は、他の光分岐挿入装置から入力される波長成分が自装置においてＴｈｒｏｕｇｈ信号に合成可能であるか否かを、前記他の光分岐挿入装置から入力されたＯＳＣ制御信号と自装置において生成したＯＳＣ制御情報とに基づいて判断し、合成できないと判断した場合には警報を発することを特徴とする請求項４項記載の光分岐挿入装置。
【請求項６】
前記装置制御・管理手段は、自装置のおいてＡｄｄ信号としてＴｈｒｏｕｇｈ信号に合成可能な光波長を、前記ＯＳＣ制御情報として他の光分岐挿入装置に通知することを特徴とする請求項４又は５記載の光分岐挿入装置。
【請求項７】
前記第１及び第２の波長選択手段は、装置制御・管理手段の指示に基づいて、他の光分岐挿入装置から入力される波長成分とＴｈｒｏｕｇｈ信号との光レベルを同レベルに調整することを特徴とする請求項４から６のいずれか１項記載の光分岐挿入装置。
【請求項８】
前記ＯＳＣ制御情報生成手段は、前記一対の方路における入力光信号及び出力光信号を監視して生成した第１の制御情報と、前記一対の方路のそれぞれの方路に接続された二つの他局の少なくともいずれかから通知された第２の制御情報とに基づいて前記ＯＳＣ制御情報を生成することを特徴とする請求項１から７のいずれか１項記載の光分岐挿入装置。
【請求項９】
前記第２の制御情報は、前記入力光信号とは異なる波長帯を用いて前記上流の他局から伝送されることを特徴とする請求項８記載の光分岐挿入装置。
【請求項１０】
前記第１の制御情報は、前記光分岐挿入装置の一対の方路の各方向の光ファイバ伝送路にそれぞれに設けられた送信アンプ及び受信アンプにおける光波長使用数及び光波長管理情報を含み、
前記第２の制御情報は、前記上流に位置する他局から入力される光信号に関する光波長多重可能数、光波長使用数及び光波長管理情報を含むことを特徴とする請求項８又は９記載の光分岐挿入装置。
【請求項１１】
前記光波長管理情報として、光波長ごとの使用／未使用情報、警報あり／なし情報、光レベル情報、ＯＳＮＲの制御情報を含むことを特徴とする請求項１０記載の光分岐挿入装置。
【請求項１２】
前記入出力インタフェースが、前記ＯＳＣ制御情報生成手段に設けられていることを特徴とする請求項１から１１のいずれか１項記載の光分岐挿入装置。
【請求項１３】
前記入出力インタフェースが、前記合波手段及び前記分波手段にそれぞれ設けられたことを特徴とする請求項５から１１のいずれか１項記載の光分岐挿入装置。
【請求項１４】
前記入出力インタフェースが、前記装置制御・管理手段に設けられていることを特徴とする請求項６から１１のいずれか１項記載の光分岐挿入装置。
【請求項１５】
請求項１から１４のいずれか１項記載の光分岐挿入装置を複数備え、複数の方路対において光波長分割多重を行う光クロスコネクト装置。
【請求項１６】
請求項１５記載の光クロスコネクト装置を用いた光クロスコネクトシステムであって、前記複数の方路対のそれぞれにノード局を接続したことを特徴とする光クロスコネクトシステム。
【請求項１７】
一対の方路がなす方路対において任意の波長成分の光信号を分岐挿入する光分岐挿入装置を複数備え、複数対の方路において光波長分割多重を行う光クロスコネクト装置の制御方法であって、
前記光分岐挿入装置のそれぞれに、
光信号を分岐挿入するためのＯＳＣ制御情報を、他の光分岐挿入装置と相互に授受させることを特徴とする光クロスコネクト装置の制御方法。
【請求項１８】
前記光分岐挿入装置のそれぞれに、一対の方路それぞれにおける入力光信号及び出力光信号を監視して生成した第１の制御情報と、前記一対の方路のそれぞれに接続された二つの他局の少なくともいずれかから通知された第２の制御情報とに基づいて、前記ＯＳＣ制御情報を生成させることを特徴とする請求項１７記載の光クロスコネクト装置の制御方法。
【請求項１９】
前記光分岐挿入装置のそれぞれが、
前記方路対のそれぞれに接続された二つの他局のいずれかから受信された前記入力光信号に含まれるＤｒｏｐ信号のうち、他の光分岐挿入装置においてＡｄｄ信号とする成分を分離する分波工程と、
前記分波手段が分離した波長成分のうちのいずれの波長成分を前記他の光分岐挿入装置のいずれに出力するかを切り替える第１の波長選択工程と、
前記他の光分岐挿入装置のいずれからいずれの波長成分を自装置においてＡｄｄ信号となる波長成分として受信するかを切り替える第２の波長選択工程と、
前記他の光分岐挿入装置から受信した波長成分を、自装置におけるＡｄｄ信号とともにＴｈｒｏｕｇｈ信号に合成して前記出力光信号を生成する合波工程と、
前記入出力インタフェースを介して前記他の光分岐挿入装置から入力されたＯＳＣ制御情報と、自装置において生成したＯＳＣ制御情報とに基づいて、前記第１及び第２の波長選択工程を制御する装置制御・管理工程とを行うことを特徴とする請求項１７又は１８記載の光クロスコネクト装置の制御方法。
【発明の詳細な説明】
【技術分野】
【０００１】
本発明は、複数の波長の光信号を分割多重可能な光分岐挿入装置、光クロスコネクト装置及び光クロスコネクトシステム、並びに光クロスコネクト装置の制御方法に関する。
【背景技術】
【０００２】
図１５に示すような複数の波長の光信号を分割多重（ＤＷＤＭ、Dense Wavelength Division Multiplexing）するシステムでは、ＲＯＡＤＭ（Re-configurable Optical Add Drop Multiplexer）局をＴｈｏｒｏｕｇｈする光信号の経路に従った二つの方路（光信号の伝送方向）が対を形成する。図示する例においては、方路１と方路２との対から方路２ｍ−１と方路２ｍとの対まで合計ｍ個の方路対が存在する。このようなシステムでは、ｍ個の方路対に関して、ＲＯＡＤＭ端局装置Ｂ１〜Ｂｍは、ＯＳＣ（Optical Supervisor Channel）送受信部やＯＳＣ制御情報を用いたＤＷＤＭ制御を行っていた。
【０００３】
このようなＤＷＤＭシステムでは、特許文献１に開示される「光分岐挿入ノード装置」のようなＲＯＡＤＭ端局装置（光分岐挿入装置）を個別に制御することとなるため、方路対ごとに独立したシステム構成となる。すなわち、ＲＯＡＤＭ局内ＲＯＡＤＭ端局装置Ｂ１〜Ｂｍの制御・管理は個別に行われていた。
【０００４】
同一ＲＯＡＤＭ局内でＲＯＡＤＭ端局装置間を接続して特許文献２に開示されるような波長クロスコネクト機能を実現しようとする場合、ＲＯＡＤＭ局内には多方路の一つのネットワークが形成されるため、ＲＯＡＤＭ局内で統一された管理を行う必要が出てくる。しかし、図１５に示したＤＷＤＭシステムは、上記のように各ＲＯＡＤＭ端局装置の制御・管理を個別に行っているため、波長クロスコネクト機能を適切に実現できない。
【０００５】
信号光の方路切り替えに関連する技術として特許文献２に開示される「フォトニックネットワークにおいて監視制御情報を転送するノード装置」がある。
【特許文献１】特開２０００−３５４００６号公報
【特許文献２】特開２００６−１８６４０７号公報（図１４）
【特許文献３】特開２００６−２６２３８５号公報
【発明の開示】
【発明が解決しようとする課題】
【０００６】
しかし、特許文献３に開示される発明は、監視制御情報を信号光と合成して次段の端局装置へ送信するものであり、同一のＲＯＡＤＭ局内でＲＯＡＤＭ端局装置を接続するために適用可能な構成ではない。また、特許文献３に記載の技術においては、各光分岐挿入装置が他の光分岐挿入装置のＯＳＣ制御情報を知ることができない。従って、光分岐挿入装置間で適切に波長クロスコネクト機能を実現することができないという問題があった。
【０００７】
本発明は係る問題に鑑みてなされたものであり、光分岐挿入装置間で適切に波長クロスコネクト機能を実現する光分岐挿入装置、光クロスコネクト装置、光クロスコネクトシステム並びに光クロスコネクト装置の制御方法を提供することを目的とする。
【課題を解決するための手段】
【０００８】
上記目的を達成するため、本発明は、第１の態様として、一対の方路において任意の波長成分の光信号を分岐挿入する光分岐挿入装置であって、他の光分岐挿入装置との間で、光信号の任意の波長成分を相互に授受するための光スイッチング手段と、光信号を分岐挿入するためのＯＳＣ制御情報を生成するＯＳＣ情報生成手段と、ＯＳＣ制御情報を他の光分岐挿入装置と相互に授受するための入出力インタフェースとを有することを特徴とする光分岐挿入装置を提供するものである。
【０００９】
また、上記目的を達成するため、本発明は、第２の態様として、上記本発明の第１の態様に係る光分岐挿入装置を複数備え、複数の方路対において光波長分割多重を行う光クロスコネクト装置を提供するものである。
【００１０】
上記目的を達成するため、本発明は、第３の態様として、上記本発明の第２の態様に係る光クロスコネクト装置を用いた光クロスコネクトシステムであって、複数の方路対のそれぞれに他のノード局を接続したことを特徴とする光クロスコネクトシステムを提供するものである。
【００１１】
また、上記目的を達成するため、本発明は、第４の態様として、一対の方路がなす方路対において任意の波長成分の光信号を分岐挿入する光分岐挿入装置を複数備え、複数対の方路において光波長分割多重を行う光クロスコネクト装置の制御方法であって、光分岐挿入装置のそれぞれに、光信号を分岐挿入するためのＯＳＣ制御情報を、他の光分岐挿入装置と相互に授受させることを特徴とする光クロスコネクト装置の制御方法を提供するものである。
【発明の効果】
【００１２】
本発明によれば、光分岐挿入装置間で適切に波長クロスコネクト機能を実現する光分岐挿入装置、光クロスコネクト装置、光クロスコネクトシステム並びに光クロスコネクト装置の制御方法を提供できる。
【発明を実施するための最良の形態】
【００１３】
本発明は、ｎ波長（ｎ：ｎ≧２を満たす整数）の光波長分割多重が可能で、任意の波長の分岐挿入機能を有する光分岐挿入装置を備えた光クロスコネクト装置を光ファイバ伝送路で接続して構成した光クロスコネクトシステムである。そして、同一光クロスコネクト装置内に光分岐挿入装置をｍ台（ｍ：ｍ≧２を満たす整数）配置して、波長クロスコネクト機能を実現する合計２ｍ方路の光クロスコネクト装置を構成する際、各光分岐挿入装置を接続し、各光分岐挿入装置間でＯＳＣ制御情報を受け渡す。そして、自装置において生成したＯＳＣ制御情報と他の光分岐挿入装置から受信したＯＳＣ制御情報とに基づいて光スイッチングを行うことにより、適切な波長クロスコネクト機能を実現するものである。
【００１４】
図１及び図２に示すように光クロスコネクト装置としてＲＯＡＤＭ局Ｂを、光分岐挿入装置としてＲＯＡＤＭ端局装置Ｂ１〜Ｂｍをそれぞれ適用した構成を例に、本発明について説明する。ＲＯＡＤＭ局Ｂは、局内をＴｈｏｒｏｕｇｈする光信号の経路に従って、二つの方路（送受信経路）が対を形成している。すなわち、二つの方路（２ｑ−１）と方路２ｑ（ｑ：ｍ≧ｑ≧１を満たす整数）とが対をなし、合計ｍ対の方路対が存在している。ＲＯＡＤＭ局Ｂは、各方路対における入力光信号及び出力光信号を監視して生成した第１の制御情報と、各方路対に接続された二つの他局の少なくともいずれかから通知された第２の制御情報とに基づいて、一対の方路において再構築可能に任意の波長成分の光信号を分岐挿入するＲＯＡＤＭ端局装置Ｂ１〜Ｂｍを備え、ｍ対の方路において光波長分割多重を行う。
ＲＯＡＤＭ端局装置Ｂ１〜Ｂｍのそれぞれは、他のＲＯＡＤＭ端局装置との間で、光信号の任意の波長成分を相互に授受するための光スイッチング部１と、光信号を分岐挿入するために用いるＯＳＣ制御情報生成するＯＳＣ制御情報生成部２と、ＯＳＣ制御情報を他のＲＯＡＤＭ端局装置と相互に授受するためのＯＳＣ制御情報入出力インタフェース３とを有する。なお、図中に示す符号の末尾の“ｂ１”は、ＲＯＡＤＭ局Ｂ内のＲＯＡＤＭ端局装置Ｂ１の構成要素であることを示している。同様に、符号の末尾の“ｂ２”・・・“ｂｍ”は、ＲＯＡＤＭ局Ｂ内のＲＯＡＤＭ端局装置Ｂ２・・・Ｂｍの構成要素であることを示す。以下、他のＲＯＡＤＭ局やＲＯＡＤＭ端局装置の同様の構成要素について区別して説明する必要がある場合には、符号の末尾を適宜変更して区別するものとする。
【００１５】
図３に、光スイッチング部１ｂ１の構成を示す。光スイッチング部１ｂ１は、光分波器１０１ｂ１、１０３ｂ１、１１１ｂ１、１１３ｂ１、光波長分離器１０２ｂ１、１１２ｂ１、波長選択スイッチ部１０４ｂ１、１０５ｂ１、１１４ｂ１、１１５ｂ１、光波長多重器１０６ｂ１、１１６ｂ１、及び光合波器１０７ｂ１、１１７ｂ１、１０８ｂ１、１１８ｂ１を有する。
光分波器１０１ｂ１、１１１ｂ１は、各方路対に接続された二つの他局のいずれかから受信された入力光信号に含まれるＤｒｏｐ信号を入力光信号から分離する。光分波器１０３ｂ１、１１３ｂ１は、光分波器１０１ｂ１、１１１ｂ１にて分離されたＤｒｏｐ信号のうち、他のＲＯＡＤＭ端局装置においてＡｄｄ信号とする波長成分を、自装置におけるＤｒｏｐ成分として光波長分離器１０２ｂ１、１１２ｂ１へ送る波長成分から分離する。波長選択スイッチ部１０４ｂ１は、光分波器１０３ｂ１、１１３ｂ１が分離した波長成分のうちのいずれの波長成分を他のＲＯＡＤＭ端局装置のいずれに出力するかを切り替える。波長選択スイッチ部１０５ｂ１は、他のＲＯＡＤＭ端局装置のいずれからいずれの波長成分を自装置においてＡｄｄ信号となる波長成分として受信するかを切り替える。光合波器１０７ｂ１、１１７ｂ１は、他のＲＯＡＤＭ端局装置から受信した波長成分を、光波長多重器１０６ｂ１、１１６ｂ１から入力される自装置におけるＡｄｄ信号に合成する。光合波器１０８ｂ１、１１８ｂ１は、光合波器１０７ｂ１、１１７ｂ１において合成した光信号をＴｈｒｏｕｇｈ信号に合成して出力光信号を生成する。なお、光スイッチング部１ｂ２〜１ｂｍも同様の構成である。
【００１６】
上記のＲＯＡＤＭ局の複数対の方路のそれぞれに他のノード局を接続することにより、図４に示すようにＤＷＤＭシステムを構成できる。
【００１７】
図５に、本発明に係るＤＷＤＭシステムの構成を示す。このＤＷＤＭシステムは、複数台のＲＯＡＤＭ局Ａ〜Ｙが光ファイバ伝送路で接続された構成である。ＲＯＡＤＭ局Ｂは、ＲＯＡＤＭ端局装置Ｂ１〜Ｂｍのｍ台のＲＯＡＤＭ端局装置を備えている。ＲＯＡＤＭ端局装置Ｂ１は、方路１側でＲＯＡＤＭ局Ａと、方路２側でＲＯＡＤＭ局Ｃとそれぞれ接続されている。同様に、ＲＯＡＤＭ端局装置Ｂｍは、方路２ｍ−１側でＲＯＡＤＭ局Ｘと、方路２ｍ側でＲＯＡＤＭ局Ｙと接続されている。
隣接ＲＯＡＤＭ局であるＡ、Ｃ、Ｘ、Ｙは、一般的なＲＯＡＤＭ局装置以外にも、ＲＯＡＤＭ機能を有しない端局装置や光増幅機能のみを有するＩＬ−ＡＭＰ（インラインアンプ）局などの公知の構成を適用できる。
【００１８】
ＲＯＡＤＭ端局装置Ｂ１〜Ｂｍの構成について説明する。ここではＲＯＡＤＭ局Ｂが備えるｍ台のＲＯＡＤＭ端局Ｂ１〜Ｂｍのうち、ＲＯＡＤＭ端局Ｂ１を例として説明するが、ＲＯＡＤＭ端局装置Ｂ２〜Ｂｍについても同様である。
【００１９】
ＲＯＡＤＭ端局装置Ｂ１は、光波長多重器１０ｂ１、１１ｂ１と送信側の光信号を増幅するＴＸ−ＡＭＰ部１２ｂ１、１３ｂ１とを有する。光波長多重器１０ｂ１、１１ｂ１は主信号をｎ波長に多重化する。そして、光合波器５６ｂ１、５４ｂ１は、他のＲＯＡＤＭ端局装置Ｂ２〜Ｂｍから入力されたＡｄｄ成分と光波長多重器１０ｂ１、１１ｂ１によって多重化された主信号とを合成してＡｄｄ信号とする。光合波器５５ｂ１、５３ｂ１は光合波器５６ｂ１、５４ｂ１によって合成されたＡｄｄ信号とＴｈｒｏｕｇｈ信号とを合成する。ＴＸ−ＡＭＰ部１２ｂ１、１３ｂ１は、光合波器５５ｂ１、５３ｂ１によって合成された信号を増幅した上で隣接するＲＯＡＤＭ局Ａ、Ｃへ出力光信号として送信する。
【００２０】
また、ＲＯＡＤＭ端局装置Ｂ１は、光波長分離器１４ｂ１、１５ｂ１と受信側の光信号を増幅するＲＸ−ＡＭＰ１６ｂ１、１７ｂ１とを有する。ＲＸ−ＡＭＰ１６ｂ１、１７ｂ１は、隣接するＲＯＡＤＭ局Ａ、Ｃから受信した光入力信号を増幅する。装置制御・管理部２０ｂ１は、主信号の各波長成分に関して、Ｄｒｏｐ信号とするかＴｈｒｏｕｇｈ信号とするかを選択する。Ｄｒｏｐ信号とする成分は、光分波器５１ｂ１、５７ｂ１でＴｈｒｏｕｇｈ信号とする成分から分離される。光分派器５２ｂ１、５８ｂ１は、Ｄｒｏｐ信号成分を、自装置でＤｒｏｐする成分と、他のＲＯＡＤＭ端局装置においてＡｄｄ信号とする成分とにさらに分離する。自装置でＤｒｏｐする成分は、光波長分離器１４ｂ１、１５ｂ１でそれぞれｎ波長の主信号に分離される。一方、Ｔｈｒｏｕｇｈ信号の場合は、他方路のＴＸ−ＡＭＰ部１３ｂ１、１２ｂ１に渡され、ＡＤＤ信号と合成された上で隣接するＲＯＡＤＭ局Ｃ、Ａへ送信される。
【００２１】
なお、光分波器３６ｂ１、３８ｂ１は、主信号とは別の波長帯を用いてＲＯＡＤＭ端局装置Ａ、Ｃから入力される情報を主信号から分離し、ＯＳＣ送受信部２２ｂ１へ入力する。また、ＯＳＣ送受信部２２ｂ１は、ＲＯＡＤＭ端局装置Ａ、Ｃへ通知する情報を光合波器３５ｂ１、３７ｂ１へ出力し、主信号とは異なる波長帯を用いて光ファイバ伝送路４１ｂ１、４３ｂ１を伝送させる。
【００２２】
ＲＯＡＤＭ端局装置Ｂ１は２方路であり、方路ごとにＴＸ−ＡＭＰ部１２ｂ１、１３ｂ１及びＲＸ−ＡＭＰ部１６ｂ１、１７ｂ１を有し、隣接するＲＯＡＤＭ局Ａ、Ｃと接続されている。また、ＲＯＡＤＭ端局装置Ｂ１は、ＤＷＤＭシステムの制御を行うための装置制御・管理部２０ｂ１、ＯＳＣ送受信部２２ｂ１、及び波長モニタ部２１ｂ１をそれぞれ備えている。
【００２３】
ＲＯＡＤＭ端局装置Ｂ１は、光波長選択機能を持つ光波長選択スイッチ部３１ｂ１〜３４ｂ１を有する。ＲＯＡＤＭ端局装置Ｂ１は光波長選択スイッチ部３１ｂ１〜３４ｂ１を介して他のＲＯＡＤＭ端局装置（ＲＯＡＤＭ端局装置Ｂ２〜Ｂｍ）と接続されており、ＲＯＡＤＭ局Ｂは合計２ｍ方路のクロスコネクト機能を実現する。
【００２４】
波長モニタ部２１ｂ１は、ＲＯＡＤＭ端局装置Ｂ１においてＤＷＤＭ信号の各光波長をモニタする機能を有する。波長モニタ部２１ｂ１は、光波長成分ごとにＤＷＤＭ信号に使用されているか否かを監視し、使用されている場合にはその光波長成分の信号のレベル及びＯＳＮＲ（Optical Signal to Noise Ratio）情報を取得する（以下、この動作を単に“モニタする”という）。波長モニタ部２１ｂ１は、ＴＸ−ＡＭＰ部１２ｂ１ａ、ＲＸ−ＡＭＰ部１６ｂ１、ＴＸ−ＡＭＰ部１３ｂ１、及びＲＸ−ＡＭＰ部１７ｂ１からの出力光をモニタし、各部での光波長使用数及び光波長管理情報をＯＳＣ送受信部２２ｂ１へ出力する。
【００２５】
ＯＳＣ送受信部２２ｂ１は、光合分波器３５ｂ１〜３８ｂ１を経由して光ファイバ伝送路４１〜４４と接続されている。ＯＳＣ送受信部２２ｂ１は、主信号とは異なる波長帯を使用してＲＯＡＤＭ局間でＯＳＣ制御情報を受け渡す。ＯＳＣ送受信部２２ｂ１は、上流から転送される光波長多重可能数、光波長使用数及び光波長管理情報と、波長モニタ部２１ｂ１から入力される光波長使用数及び光波長管理情報とを基にＯＳＣ制御情報の生成及び終端を行う。
【００２６】
装置制御・管理部２０ｂ１は、ＯＳＣ送受信部２２ｂ１が生成したＯＳＣ制御情報と他のＲＯＡＤＭ端局装置Ｂ２〜Ｂｍから受信したＯＳＣ制御情報とに基づいて光波長選択スイッチ部３１ｂ１〜３４ｂ１を制御し、光スイッチングや信号レベルの調整を行う。また、ＲＯＡＤＭ端局装置Ｂ２〜Ｂｍから入力される波長成分が自装置においてＴｈｒｏｕｇｈ信号に合成可能であるか否かを、ＲＯＡＤＭ端局装置Ｂ２〜Ｂｍから入力されたＯＳＣ制御信号と自装置において生成したＯＳＣ制御情報とに基づいて判断し、合成できないと判断した場合には警報を発する。
【００２７】
また、ＲＯＡＤＭ端局装置Ｂ１は、（ｍ−１）個のＯＳＣ制御情報入力ポート７１ｂ１、（ｍ−１）個のＯＳＣ制御情報出力ポート７０     ｂ１を有する。ＲＯＡＤＭ端局装置Ｂ１は、それぞれ、ＲＯＡＤＭ局Ｂ内のＲＯＡＤＭ端局装置Ｂ２〜Ｂｍに接続されることにより、ＲＯＡＤＭ端局装置Ｂ１〜Ｂｍ間でＯＳＣ制御情報を受け渡す。
【００２８】
ＯＳＣ制御情報は、図６に示すような信号フォーマットであり、ＴＸ−ＡＭＰ部１２ｂ１、ＲＸ−ＡＭＰ部１６ｂ１、ＴＸ−ＡＭＰ部１３ｂ１、ＲＸ−ＡＭＰ部１７ｂ１のそれぞれにおける波長多重可能数、光波長使用数及び光波長管理情報を含む。光波長管理情報とは、光波長の使用／未使用情報、警報あり／なし情報、光レベル情報、ＯＳＮＲ情報などである。なお、ここに示したフォーマットはＯＳＣ制御情報の信号フォーマットの一例であり、各アンプ部の波長多重可能数、光波長使用数及び光波長管理情報をＲＯＡＤＭ端局装置Ｂ１〜Ｂｍで授受できるのであれば、特定のフォーマットに限定されることはない。
【００２９】
図７に示すように、送信側の光波長選択スイッチ部３２ｂ１は、１個の光入力ポートと（ｍ−１）個のグループに分かれた２（ｍ−１）個の光出力ポートとを有し、ＲＯＡＤＭ端局装置Ｂ２〜Ｂｍと接続され、ＤＷＤＭ信号を出力する。なお、ＲＯＡＤＭ端局装置Ｂｋ（ｋは１〜ｍの任意の整数）は、方路２ｋ−１から方路２ｋの方向と、方路２ｋから２ｋ−１の方向との２方向に光信号を送受信するため、それぞれの方向の対応する光波長多重器１０ｂｋ、１１ｂｋに接続された光波長選択スイッチ３１ｂｋ、３３ｂｋへＤＷＤＭ信号を出力する二つの光出力ポートが一つのグループを形成する。光波長選択スイッチ部３４ｂ１も同様である。
【００３０】
図８に示すように、受信側の光波長選択スイッチ部３１ｂ１は、（ｍ−１）個のグループに分かれた２（ｍ−１）個の光入力ポートと１個の光出力ポートとを有し、ＲＯＡＤＭ端局装置Ｂ２〜Ｂｍと接続され、ＤＷＤＭ信号が入力される。なお、ＲＯＡＤＭ端局装置Ｂｋ（ｋは１〜ｍの任意の整数）は、方路２ｋ−１から方路２ｋの方向と、方路２ｋから２ｋ−１の方向との２方向に光信号を送受信するため、それぞれの方向の対応する光波長分離器１４ｂｋ、１５ｂｋに接続された光波長選択スイッチ３２ｂｋ、３４ｂｋからＤＷＤＭ信号が入力される二つの光入力ポートが一つのグループを形成する。光波長選択スイッチ３３ｂ１も同様である。
【００３１】
ＯＳＣ制御情報出力ポート７０ｂ１、ＯＳＣ制御情報入力ポート７１ｂ１の番号と、光波長選択スイッチ部３１ｂ１、３２ｂ１の（ｍ−１）個のポートグループの番号とはそれぞれ対応している。ＯＳＣ制御情報出力ポート７０ｂ１の（ｋ−１）ポート（ｋは２〜ｍの任意の整数）及びＯＳＣ制御情報入力ポート７１ｂ１の（ｋ−１）ポートにて送受信されるＯＳＣ制御情報は、光波長選択スイッチ部３２ｂ１、３４ｂ１の出力ポートグループ（ｋ−１）、光波長選択スイッチ部３１ｂ１、３３ｂ１の入力ポートグループ（ｋ−１）の制御に使用される。また、光波長選択スイッチ部３１ｂ１〜３４ｂ１は、内部に光レベル調整機能を持ち、ＯＳＣ送受信部２２ｂ１から装置制御・管理部２０ｂ１を通して設定されるＯＳＣ制御情報に基づいて各波長の入出力レベルを調整する。
【００３２】
ＲＯＡＤＭ端局装置Ｂ２〜ＢｍのそれぞれもＲＯＡＤＭ端局装置Ｂ１と同様の構成を備え、他方路のＲＯＡＤＭ端局装置と接続されている。
【００３３】
このように、同一のＲＯＡＤＭ局Ｂ内で接続されたＲＯＡＤＭ端局装置Ｂ１〜Ｂｍ間でＯＳＣ制御情報を受け渡すことにより、ＲＯＡＤＭ端局装置Ｂ１〜Ｂｍ間でＯＳＣ制御情報を共有し、多方路の波長クロスコネクト機能を適切に実現できる。
【００３４】
本発明に係るＤＷＤＭシステムは、ＲＯＡＤＭ端局装置間で光波長ごとの使用／未使用の情報、警報あり／なしの情報、光レベル情報、ＯＳＮＲ情報を受け渡せるため、下記（１）〜（３）のような効果を奏する。
（１）自装置がサポートしていない光波長が他のＲＯＡＤＭ端局装置から入力されるようにＲＯＡＤＭ端局装置同士が接続された場合に警報を検出できる。
（２）自装置の光波長選択スイッチ部での選択可能な光波長を他のＲＯＡＤＭ端局装置に通知できる。
（３）光波長選択スイッチ部での光波長使用数に応じた光レベル調整を行える。
【００３５】
しかも、特許文献３に開示される発明とは異なり、監視制御情報を信号光と合成しないため、監視制御情報を利用する際に電気信号に変換する必要はない。同一のＲＯＡＤＭ局内において電気信号から光信号へ変換した後で再び電気信号へと戻す必要がないため、変換時に変換ロスが発生せず、誤変換が生じる恐れもない。
【００３６】
以下、本発明の好適な実施の形態について説明する。
【００３７】
〔第１の実施形態〕
本発明を好適に実施した第１の実施形態について説明する。図９に、本実施形態に係るＤＷＤＭシステムの構成を示す。このＤＷＤＭシステムは、自局内で２台のＲＯＡＤＭ端局装置Ｂ１、Ｂ２間を接続し、４方路の波長クロスコネクト機能を実現するＲＯＡＤＭ局Ｂを有する８０波長のＤＷＤＭシステムである。すなわち、図５に示す構成においてｍ＝２、ｎ＝８０の場合に相当する。
【００３８】
図９において、ＲＯＡＤＭ端局装置Ｂ１の波長モニタ部２１ｂ１は、ＤＷＤＭ信号の各光波長をモニタする機能を有する。波長モニタ部２１ｂ１は、ＴＸ−ＡＭＰ部１２ｂ１、ＲＸ−ＡＭＰ部１６ｂ１、ＴＸ−ＡＭＰ部１３ｂ１、及びＲＸ−ＡＭＰ部１７ｂ１からの出力光をモニタし、各部の光波長使用数及び光波長管理情報をＯＳＣ送受信部２２ｂ１へ出力する。同様に、ＲＯＡＤＭ端局装置Ｂ２の波長モニタ部２１ｂ２は、ＤＷＤＭ信号の各光波長をモニタする機能を有し、ＴＸ−ＡＭＰ部１２ｂ２、ＲＸ−ＡＭＰ部１６ｂ２、ＴＸ−ＡＭＰ部１３ｂ２、及びＲＸ−ＡＭＰ部１７ｂ２からの出力光をモニタし、各部の光波長使用数及び光波長管理情報をＯＳＣ送受信部２２ｂ２へ出力する。
なお、ＲＯＡＤＭ端局装置Ｂ１のＴＸ−ＡＭＰ部１２ｂ１には“１”、ＴＸ−ＡＭＰ部１３ｂ１には“２”という番号が、ＲＸ−ＡＭＰ部１６ｂ１には“１”、ＲＸ−ＡＭＰ部１７ｂ１には“２”という番号がそれぞれ設定されている。同様に、ＲＯＡＤＭ端局装置Ｂ２のＴＸ−ＡＭＰ部１２ｂ２には“１”、ＴＸ−ＡＭＰ部１３ｂ２には“２”という番号が、ＲＸ−ＡＭＰ部１６ｂ２には“１”、ＲＸ−ＡＭＰ部１７ｂ２には“２”という番号がそれぞれ設定されているものとする。
【００３９】
ＯＳＣ送受信部２２ｂ１は、光合分波器３５ｂ１〜３８ｂ１を経由して光ファイバ伝送路４１ｂ１〜４４ｂ１とそれぞれ接続されている。ＯＳＣ送受信部２２ｂ１は、主信号とは異なる波長帯を使用して、ＲＯＡＤＭ局間でＯＳＣ制御情報を受け渡し、上流から転送される光波長多重可能数、光波長使用数及び波長管理情報と、波長モニタ部２１ｂ１から入力された光波長使用数及び光波長管理情報とを基に、ＯＳＣ制御情報の終端及び生成を行う。同様に、ＯＳＣ送受信部２２ｂ２は、光合分波器３５ｂ２〜３８ｂ２を経由して光ファイバ伝送路４１ｂ２〜４４ｂ２とそれぞれ接続されている。ＯＳＣ送受信部２２ｂ２は、主信号とは異なる波長帯を使用して、ＲＯＡＤＭ局間でＯＳＣ制御情報を受け渡し、上流から転送される光波長多重可能数、光波長使用数及び波長管理情報と、波長モニタ部２１ｂ２から入力された光波長使用数及び光波長管理情報とを基に、ＯＳＣ制御情報の終端及び生成を行う。
【００４０】
また、ＯＳＣ送受信部２２ｂ１は、ＯＳＣ制御情報入力ポート２２１ｂ１とＯＳＣ制御情報出力ポート２２２ｂ１とを有する。さらに、ＯＳＣ送受信部２２ｂ２は、ＯＳＣ制御情報入力ポート２２１ｂ２とＯＳＣ制御情報出力ポート２２２ｂ２とを有する。ＯＳＣ送受信制御部２２ｂ１とＯＳＣ送受信部２２ｂ２とが接続されることにより、ＲＯＡＤＭ端局装置Ｂ１とＢ２との間でＯＳＣ制御情報を受け渡す。
【００４１】
ＲＯＡＤＭ端局装置Ｂ１におけるＯＳＣ制御情報は、図１０（ａ）に示すような信号フォーマットであり、ＴＸ−ＡＭＰ部１２ｂ１、ＲＸ−ＡＭＰ部１６ｂ１、ＴＸ−ＡＭＰ部１３ｂ１、ＲＸ−ＡＭＰ部１７ｂ１のそれぞれにおける波長多重可能数、光波長使用数及び光波長管理情報を含む。なお、図１０においてＴＸ−ＡＭＰ部、ＲＸ−ＡＭＰ部に付されている＜１＞、＜２＞は、ＴＸ−ＡＭＰ部やＲＸ−ＡＭＰ部に設定されている番号を示している。例えば、“ＴＸ−ＡＭＰ部＜１＞情報”は、ＴＸ−ＡＭＰ部１２ｂ１からの出力光をモニタして得た情報であることを示している。図１０（ｂ）に示すように、光波長管理情報は、光波長ごとの使用／未使用情報、警報あり／なし情報、光レベル情報、ＯＳＮＲの制御情報を含む。
一方、ＲＯＡＤＭ端局装置Ｂ２におけるＯＳＣ制御情報は、ＲＯＡＤＭ端局装置Ｂ１におけるＯＳＣ制御情報と同様に、ＴＸ−ＡＭＰ部１２ｂ２、ＲＸ−ＡＭＰ部１６ｂ２、ＴＸ−ＡＭＰ部１３ｂ２、ＲＸ−ＡＭＰ部１７ｂ２のそれぞれにおける波長多重可能数、光波長使用数及び光波長管理情報を含む。
【００４２】
ＲＯＡＤＭ端局装置Ｂ１の装置制御・管理部２０ｂ１は、ＯＳＣ制御情報を基にＤＷＤＭシステムでの光波長ごとの使用／未使用情報、警報あり／無し情報、光レベル情報、ＯＳＮＲ情報や、光波長選択スイッチ部３１ｂ１〜３４ｂ１での選択可能な光波長などの情報を、光合波器３５ｂ１や３７ｂ１へ出力し、主信号とは異なる波長帯で伝送させることにより、方路１、２に設置されたＲＯＡＤＭ端局装置Ａ、Ｃへこれらの情報を通知できる。
同様に、ＲＯＡＤＭ端局装置Ｂ２の装置制御・管理部２０ｂ２は、ＯＳＣ制御情報を基にＤＷＤＭシステムでの光波長ごとの使用／未使用情報、警報あり／無し情報、光レベル情報、ＯＳＮＲ情報や、光波長選択スイッチ部３１ｂ２〜３４ｂ２での選択可能な光波長などの情報、光合波器３５ｂ２や３７ｂ２に出力し、主信号とは異なる波長帯で伝送させることにより、方路３、４に設置されたＲＯＡＤＭ端局装置Ｄ、Ｅへこれらの情報を通知できる。
【００４３】
図１１に示すように、送信側の光波長選択スイッチ部３２ｂ１、３４ｂ１、３２ｂ２、３４ｂ２のそれぞれは、１個の光入力ポートと、一つのグループを構成する２個の光出力ポートとを有し、他方のＲＯＡＤＭ端局装置Ｂ２、Ｂ１と接続され、ＤＷＤＭ信号を出力する。
【００４４】
図１２に示すように、受信側の光波長選択スイッチ部３１ｂ１、３３ｂ１、３１ｂ２、３３ｂ２は、一つのグループを構成する２個の光入力ポートと、１個の光出力ポートとを有し、多方のＲＯＡＤＭ端局装置Ｂ２、Ｂ１と接続され、ＤＷＤＭ信号が入力される。
【００４５】
ＯＳＣ送受信部２２ｂ１、２２ｂ２のＯＳＣ制御情報出力ポート２２１ｂ１、２２１ｂ２、及びＯＳＣ制御情報入力ポート２２２ｂ１、２２２ｂ２のポート番号と、図１１、図１２の光波長選択スイッチ部３１ｂ１〜３４ｂ１、３１ｂ２〜３４ｂ２のポートグループ番号とは対応している。ＯＳＣ制御情報出力ポート＜１＞、ＯＳＣ制御情報入力ポート＜１＞で送受信されるＯＳＣ制御情報は、光波長選択スイッチ部３１ｂ１〜３４ｂ１、３１ｂ２〜３４ｂ２の出力ポートグループ＜１＞、入力ポートグループ＜１＞の制御に使用される。また、ポート番号は、接続されるＲＯＡＤＭ端局装置の光波長選択スイッチが接続されているＲＸ−ＡＭＰ部の番号と対応している。ＲＸ−ＡＭＰ部１６ｂ１から光波長選択スイッチ３２ｂ１を通して出力されるＤＷＤＭ信号は、光波長選択スイッチ部３３ｂ２の入力ポート番号１に入力される。また、ＲＸ−ＡＭＰ部１７ｂ１から光波長選択スイッチを通して出力されるＤＷＤＭ信号は、光波長選択スイッチ３３ｂ２の入力ポート番号２に入力される。
【００４６】
光波長選択スイッチ部３１ｂ１〜３４ｂ１、３１ｂ２〜３４ｂ２は、内部に光レベル調整機能を持ち、ＯＳＣ送受信部２２ｂ１、２２ｂ２から装置制御・管理部２０ｂ１、２０ｂ２を介して設定されるＯＳＣ制御情報に基づいて各波長の入出力レベルを調整する。なお、光波長選択スイッチ部の光レベル調整機能には公知の構成を適用可能であるので説明は省略する。
【００４７】
光波長多重器１０ｂ１、１１ｂ１、１０ｂ２、１１ｂ２は、公知のものを適用可能である。光波長分離器１４ｂ１、１５ｂ１、１４ｂ２、１５ｂ２も同様である。光合分波器３５ｂ１〜３８ｂ１、３５ｂ２〜３８ｂ２も同様である。ＴＸ−ＡＭＰ部１２ｂ１、１３ｂ１、１２ｂ２、１３ｂ２も同様である。ＲＸ−ＡＭＰ部１６ｂ１、１７ｂ１、１６ｂ２、１７ｂ２も同様である。これらは公知のものを適用可能であるため、その詳細な構成については説明を省略する。
【００４８】
本実施形態に係るＲＯＡＤＭ局のＲＯＡＤＭ端局装置の動作について説明する。
《１》ＲＯＡＤＭ端局装置Ｂ１の波長モニタ部２１ｂ１は、ＴＸ−ＡＭＰ部１２ｂ１、ＲＸ−ＡＭＰ部１６ｂ１、ＴＸ−ＡＭＰ部１３ｂ１、及びＲＸ−ＡＭＰ部１７ｂ１からの出力光をモニタし、各部の光波長ごとの使用／未使用情報、光レベル情報、ＯＳＮＲ情報をＯＳＣ送受信部２２ｂ１へ出力する。
【００４９】
《２》ＯＳＣ送受信部２２ｂ１は、上流から光ファイバ伝送路上を主信号とともに伝送される光波長多重可能数、光波長使用数及び光波長ごとの使用／未使用情報、警報あり／なし情報と、波長モニタ部２１ｂ１から入力された光波長ごとの使用／未使用情報、光レベル情報、ＯＳＮＲ情報とを基にＯＳＣ制御情報を生成する。
【００５０】
《３》ＯＳＣ送受信部２２ｂ１は、ＯＳＣ制御情報をＯＳＣ制御情報出力ポート２２１ｂ１のポート１から送信する。
【００５１】
《４》ＯＳＣ送受信部２２ｂ２は、ＯＳＣ送受信部２２ｂ１から送信されてきたＯＳＣ制御情報をＯＳＣ制御情報入力ポート２２２ｂ２のポート１によって受信する。
【００５２】
《５》ＲＯＡＤＭ端局装置Ｂ２の装置制御・管理部２０ｂ２は、受信したＯＳＣ制御情報から、光波長ごとの使用／未使用情報、警報あり／なし情報、光レベル情報、ＯＳＮＲ情報を取得し、これらの情報を合波器３５ｂ２や３７ｂ２へ出力することにより、方路３や方路４に設置されているＲＯＡＤＭ端局装置Ｄ、Ｅに通知する。
【００５３】
《６》ＲＯＡＤＭ端局装置Ｂ２の装置制御・管理部２０ｂ２は、受信したＯＳＣ制御情報を基に、光波長選択スイッチ部３１ｂ２〜３４ｂ２で選択可能な光波長を示す情報を合波器３５ｂ２や３７ｂ２へ出力することにより、方路３や方路４に設置されているＲＯＡＤＭ端局装置Ｄ、Ｅに通知する。
【００５４】
《７》ＲＯＡＤＭ端局装置Ｂ２の光波長選択スイッチ部３１ｂ２〜３４ｂ２は、ＯＳＣ送受信部２２ｂ１から転送されたＯＳＣ制御情報に基づいて各波長の入出力レベルを把握し、光波長使用数に応じた各波長の入出力レベルが一定となるように光レベルを調整する。
【００５５】
《８》ＲＯＡＤＭ端局装置Ｂ２からＲＯＡＤＭ端局装置Ｂ１へのＯＳＣ制御情報の受け渡しも上記同様にして行われる。
【００５６】
以上のように、本実施形態に係るＤＷＤＭシステムは、同一のＲＯＡＤＭ局内の複数のＲＯＡＤＭ端局装置同士でＯＳＣ制御情報を相互に受け渡すことができるため、多方路の波長クロスコネクト機能を適切に実現できる。
【００５７】
〔第２の実施形態〕
本発明を好適に実施した第２の実施形態について説明する。図１３に、本実施形態に係るＤＷＤＭシステムの構成を示す。第１の実施形態とほぼ同様の構成であるが、ＯＳＣ制御情報出力ポート及びＯＳＣ制御情報入力ポートが装置制御・管理部２０ｂ１、２０ｂ２に設けられている。
【００５８】
本実施形態に係るＲＯＡＤＭ局のＲＯＡＤＭ端局装置の動作について説明する。
《１》ＲＯＡＤＭ端局装置Ｂ１の波長モニタ部２１ｂ１は、ＴＸ−ＡＭＰ部１２ｂ１、ＲＸ−ＡＭＰ部１６ｂ１、ＴＸ−ＡＭＰ部１３ｂ１、及びＲＸ−ＡＭＰ部１７ｂ１からの出力光をモニタし、各部の光波長ごとの使用／未使用情報、光レベル情報、ＯＳＮＲ情報をＯＳＣ送受信部２２ｂ１へ出力する。
【００５９】
《２》ＯＳＣ送受信部２２ｂ１は、上流から光ファイバ伝送路上を主信号とともに伝送される光波長多重可能数、光波長使用数及び光波長ごとの使用／未使用情報、警報あり／なし情報と、波長モニタ部２１ｂ１から入力された光波長ごとの使用／未使用情報、光レベル情報、ＯＳＮＲ情報とを基にＯＳＣ制御情報を生成する。
【００６０】
《３》ＯＳＣ送受信部２２ｂ１は、ＯＳＣ制御情報を装置制御・管理部２０ｂ１へ出力する。
《４》装置制御・管理部２０ｂ１は、ＯＳＣ送受信部２２ｂ１から入力されたＯＳＣ制御情報を、ＯＳＣ制御情報出力ポート２０１ｂ１のポート１から送信する。
【００６１】
《５》装置制御・管理部２０ｂ２は、装置制御・管理部２０ｂ１から送信されてきたＯＳＣ制御情報をＯＳＣ制御情報入力ポート２０２ｂ２のポート１によって受信する。
【００６２】
《６》ＲＯＡＤＭ端局装置Ｂ２の装置制御・管理部２０ｂ２は、受信したＯＳＣ制御情報から、光波長ごとの使用／未使用情報、警報あり／なし情報、光レベル情報、ＯＳＮＲ情報を取得し、これらの情報を合波器３５ｂ２や３７ｂ２へ出力することにより、方路３や方路４に設置されているＲＯＡＤＭ端局装置Ｄ、Ｅに通知する。
【００６３】
《７》ＲＯＡＤＭ端局装置Ｂ２の装置制御・管理部２０ｂ２は、受信したＯＳＣ制御情報を基に、光波長選択スイッチ部３１ｂ２〜３４ｂ２で選択可能な光波長を示す情報を合波器３５ｂ２や３７ｂ２へ出力することにより、方路３や方路４に設置されているＲＯＡＤＭ端局装置Ｄ、Ｅに通知する。
【００６４】
《８》ＲＯＡＤＭ端局装置Ｂ２の光波長選択スイッチ部３１ｂ２〜３４ｂ２は、ＯＳＣ送受信部２２ｂ１から転送されたＯＳＣ制御情報に基づいて各波長の入出力レベルを把握し、光波長使用数に応じた各波長の入出力レベルが一定となるように光レベルを調整する。
【００６５】
《９》ＲＯＡＤＭ端局装置Ｂ２からＲＯＡＤＭ端局装置Ｂ１へのＯＳＣ制御情報の受け渡しも上記同様にして行われる。
【００６６】
この他の点については上記第１の実施形態と同様であるため、重複する説明は省略する。
【００６７】
このように、本実施形態に係るＤＷＤＭシステムは、第１の実施形態と同様に、同一のＲＯＡＤＭ局内の複数のＲＯＡＤＭ端局装置同士でＯＳＣ制御情報を相互に受け渡すことができるため、多方路の波長クロスコネクト機能を適切に実現できる。
【００６８】
〔第３の実施形態〕
本発明を好適に実施した第３の実施形態について説明する。図１４に、本実施形態に係るＤＷＤＭシステムの構成を示す。第１の実施形態とほぼ同様の構成であるが、光波長選択スイッチ部３１ｂ１〜３４ｂ１、３１ｂ２〜３４ｂ２の光出力ポートや光入力ポートがＯＳＣ制御情報出力ポート及びＯＳＣ制御情報入力ポートとしての機能を兼ねている。すなわち、光波長選択スイッチ部３１ｂ１〜３４ｂ１、３１ｂ２〜３４ｂ２は、ＤＷＤＭ信号だけでなく、ＯＳＣ制御信号を送信又は受信する機能を備えている。
【００６９】
本実施形態に係るＲＯＡＤＭ局のＲＯＡＤＭ端局装置の動作について説明する。
《１》ＲＯＡＤＭ端局装置Ｂ１の波長モニタ部２１ｂ１は、ＴＸ−ＡＭＰ部１２ｂ１、ＲＸ−ＡＭＰ部１６ｂ１、ＴＸ−ＡＭＰ部１３ｂ１、及びＲＸ−ＡＭＰ部１７ｂ１からの出力光をモニタし、各部の光波長ごとの使用／未使用情報、光レベル情報、ＯＳＮＲ情報をＯＳＣ送受信部２２ｂ１へ出力する。
【００７０】
《２》ＯＳＣ送受信部２２ｂ１は、上流から光ファイバ伝送路上を主信号とともに伝送される光波長多重可能数、光波長使用数及び光波長ごとの使用／未使用情報、警報あり／なし情報と、波長モニタ部２１ｂ１から入力された光波長ごとの使用／未使用情報、光レベル情報、ＯＳＮＲ情報とを基に、光ファイバ伝送路４１〜４４に関するＯＳＣ制御情報を個々に生成する。
【００７１】
《３》ＯＳＣ送受信部２２ｂ１は、各ＯＳＣ制御情報を光波長選択スイッチ部３１ｂ１〜３４ｂ１へ出力する。
《４》光波長選択スイッチ部３１ｂ１〜３４ｂ１は、ＯＳＣ送受信部２２ｂ１から入力されたＯＳＣ制御情報をＯＳＣ制御情報出力ポート３１１ｂ１〜３４１ｂ１のポート１から送信する。
《５》装置制御・管理部２０ｂ２は、ＲＯＡＤＭ端局装置Ｂ１から送信されてきたＯＳＣ制御情報をＯＳＣ制御情報入力ポート３１１ｂ２〜３４１ｂ２のポート１によって受信する。
《６》ＲＯＡＤＭ端局装置Ｂ２の装置制御・管理部２０ｂ２は、受信したＯＳＣ制御情報から、光波長ごとの使用／未使用情報、警報あり／なし情報、光レベル情報、ＯＳＮＲ情報を取得し、これらの情報を合波器３５ｂ２や３７ｂ２へ出力することにより、方路３や方路４に設置されているＲＯＡＤＭ端局装置Ｄ、Ｅに通知する。
【００７２】
《７》ＲＯＡＤＭ端局装置Ｂ２の装置制御・管理部２０ｂ２は、受信したＯＳＣ制御情報を基に、光波長選択スイッチ部３１ｂ２〜３４ｂ２で選択可能な光波長を示す情報を合波器３５ｂ２や３７ｂ２へ出力することにより、方路３や方路４に設置されているＲＯＡＤＭ端局装置Ｄ、Ｅに通知する。
【００７３】
《８》ＲＯＡＤＭ端局装置Ｂ２の光波長選択スイッチ部３１ｂ２〜３４ｂ２は、光波長選択スイッチ部３１ｂ１〜３４ｂ１のそれぞれから転送されたＯＳＣ制御情報に基づいて各波長の入出力レベルを把握し、光波長使用数に応じた各波長の入出力レベルが一定となるように光レベルを調整する。
【００７４】
《９》ＲＯＡＤＭ端局装置Ｂ２からＲＯＡＤＭ端局装置Ｂ１へのＯＳＣ制御情報の受け渡しも上記同様にして行われる。
【００７５】
なお、ＯＳＣ制御情報は、ＤＷＤＭ信号と別個に授受しても良いし、ＤＷＤＭ信号とともに授受するようにしても良い。
【００７６】
この他の点については上記第１の実施形態と同様であるため、重複する説明は省略する。
【００７７】
なお、上記各実施形態は本発明の好適な実施の一例であり、本発明はこれに限定されることはない。
例えば、光波長選択スイッチを用いてＲＯＡＤＭ端局装置同士を接続する構成を例としたが、光分配機能を有する光スプリッタを用いてＲＯＡＤＭ端局装置同士を接続しても良い。
このように、本発明は様々な変形が可能である。
【図面の簡単な説明】
【００７８】
【図１】本発明に係る光分岐挿入装置を適用したＲＯＡＤＭ端局装置の構成を示す図である。
【図２】本発明に係る光クロスコネクト装置を適用したＲＯＡＤＭ局の構成を示す図である。
【図３】本発明に係る光分岐挿入装置を適用したＲＯＡＤＭ端局装置のスイッチング部の構成を示す図である。
【図４】本発明に係るＤＷＤＭシステムの構成を示す図である。
【図５】本発明に係るＤＷＤＭシステムの構成を示す図である。
【図６】ＯＳＣ制御情報の情報フォーマットの一例を示す図である。
【図７】波長選択スイッチ部の構成を示す図である。
【図８】波長選択スイッチ部の構成を示す図である。
【図９】本発明を好適に実施した第１の実施形態に係るＤＷＤＭシステムの構成を示す図である。
【図１０】ＯＳＣ制御情報の情報フォーマットの一例を示す図である。
【図１１】波長選択スイッチ部の構成を示す図である。
【図１２】波長選択スイッチ部の構成を示す図である。
【図１３】本発明を好適に実施した第２の実施形態に係るＤＷＤＭシステムの構成を示す図である。
【図１４】本発明を好適に実施した第３の実施形態に係るＤＷＤＭシステムの構成を示す図である。
【図１５】本発明に関連するＤＷＤＭシステムを示す図である。
【符号の説明】
【００７９】
１    光スイッチング部
２    ＯＳＣ制御情報生成部
３    ＯＳＣ制御情報入出力インタフェース
４、２０    装置制御・管理部
１０、１１、１０６、１１６    光波長多重器
１２、１３    ＴＸ−ＡＭＰ
１４、１５、１０２、１１２    光波長分離器
１６、１７    ＲＸ−ＡＭＰ
２０    装置制御・管理部
２１    波長モニタ部
２２    ＯＳＣ送受信部
３１、３２、３３、３４、１０４、１０５、１１４、１１５    光波長選択スイッチ
３５、３７、１０７、１０８、１１７、１１８    光合波器
３６、３８、１０１、１０３、１１１、１１３    光分波器
４１、４２、４３、４４    光ファイバ伝送路
７０、２０１、２２１    ＯＳＣ制御情報出力ポート
７１、２０２、２２２    ＯＳＣ制御情報入力ポート
【図１】
2009206707.tif 000003
【図２】
2009206707.tif 000004
【図３】
2009206707.tif 000005
【図４】
2009206707.tif 000006
【図５】
2009206707.tif 000007
【図６】
2009206707.tif 000008
【図７】
2009206707.tif 000009
【図８】
2009206707.tif 000010
【図９】
2009206707.tif 000011
【図１０】
2009206707.tif 000012
【図１１】
2009206707.tif 000013
【図１２】
2009206707.tif 000014
【図１３】
2009206707.tif 000015
【図１４】
2009206707.tif 000016
【図１５】
2009206707.tif 000017